(57)【要約】      （修正有）【課題】被験者が表示ユニットに表示された情報を容易に理解できる心電計を提供する。【解決手段】少なくとも一対の正電極１７、負電極２１を備え、一対正電極１７、負電極２１のにおける一方に右手で接触し、他方に左手で接触した被験者の心電波形を測定する心電計１であって、情報を表示するＬＣＤモジュール１１と、心電計の向きを取得する加速度センサ１３と、一対の正電極１７、負電極２１のうち、被験者の右手が接触している右手接触電極、及び被験者の左手が接触している左手接触電極を特定する接触状態特定ユニット１５と、ＬＣＤモジュール１１における前記情報の表示方向を、加速度センサ１３の取得結果、及び接触状態特定ユニットの特定結果を用いて決定するＣＰＵ３と、を備えることを特徴とする。【選択図】図１
2015231427.tif 000002
【特許請求の範囲】
【請求項１】
少なくとも一対の誘導電極（１７、２１）を備え、前記一対の誘導電極における一方に右手で接触し、他方に左手で接触した被験者の心電波形を測定する心電計（１）であって、
情報を表示する表示ユニット（１１）と、
前記心電計の向きを取得する向き取得ユニット（１３）と、
前記一対の誘導電極のうち、被験者の右手が接触している右手接触電極、及び被験者の左手が接触している左手接触電極を特定する接触状態特定ユニット（１５）と、
前記表示ユニットにおける前記情報の表示方向を、前記向き取得ユニットの取得結果、及び前記接触状態特定ユニットの特定結果を用いて決定する表示方向制御ユニット（３）と、
を備えることを特徴とする心電計。
【請求項２】
請求項１に記載の心電計であって、
前記表示方向制御ユニットが決定する前記表示方向は、前記情報における上方向が、座位又は立位の姿勢にある被験者から見て、上方向となる表示方向であることを特徴とする心電計。
【請求項３】
請求項１又は２に記載の心電計であって、
被験者の姿勢を入力可能な姿勢入力手段（７）を備え、
前記表示方向制御ユニットは、前記情報の表示方向を、前記向き取得ユニットの取得結果、前記接触状態特定ユニットの特定結果、及び前記姿勢入力手段への入力結果に対して予め設定された表示方向とすることを特徴とする心電計。
【請求項４】
請求項３に記載の心電計であって、
前記予め設定された表示方向は、前記情報における上方向が、前記姿勢入力手段へ入力された姿勢にある被験者から見て、上方向となる表示方向であることを特徴とする心電計。
【請求項５】
請求項１に記載の心電計であって、
前記向き取得ユニットの取得結果、前記接触状態特定ユニットの特定結果、及び予め設定された被験者の標準姿勢に基づき、被験者に対する心電計の向きを学習する学習手段を備え、
前記表示方向制御ユニットは、前記情報の表示方向を、前記向き取得ユニットの取得結果、前記接触状態特定ユニットの特定結果、及び前記学習手段により学習された、前記被験者に対する心電計の向きに対して予め設定された表示方向とすることを特徴とする心電計。
【請求項６】
請求項１〜５のいずれか１項に記載の心電計であって、
前記接触状態特定ユニットは、前記心電波形に基づき、前記右手接触電極及び前記左手接触電極を特定することを特徴とする心電計。
【請求項７】
請求項１〜６のいずれか１項に記載の心電計であって、
筐体の一面において、長手方向の一方の側に前記一対の誘導電極のうちの一方の電極Ａ（１７）を備えるともに、前記長手方向における他方の側に前記一対の誘導電極のうちの他方の電極Ｂ（２１）、及び中間電極（１９）を備え、
前記電極Ｂ及び前記中間電極と、前記電極Ａとの前記長手方向における間隔（ｄ１、ｄ２）は、前記一面の短手方向での中央部において、周辺部よりも大きいことを特徴とする心電計。
【発明の詳細な説明】
【技術分野】
【０００１】
本発明は心電計に関する。
【背景技術】
【０００２】
被験者の心電を計測する心電計として、一対の誘導電極と、情報を表示する表示ユニットとを有するものが知られている（特許文献１参照）。この心電計は、被験者の測定姿勢に応じて表示ユニットに表示する情報の表示方向を制御する。
【先行技術文献】
【特許文献】
【０００３】
【特許文献１】特開２００５−４６８号公報
【発明の概要】
【発明が解決しようとする課題】
【０００４】
被験者を基準とする、表示ユニットに表示された情報の見え方は、心電計の向き、被験者と誘導電極との接触状態等に応じて様々に変化するため、場合により、表示ユニットに表示された情報を被験者が認識し難い場合がある。本発明は、こうした問題にかんがみてなされたものであり、上記の問題を解決できる心電計を提供することを目的としている。
【課題を解決するための手段】
【０００５】
本発明の心電計は、少なくとも一対の誘導電極を備え、一対の誘導電極における一方に右手で接触し、他方に左手で接触した被験者の心電波形を測定する。
本発明の心電計はさらに、情報を表示する表示ユニットと、心電計の向きを取得する向き取得ユニットと、一対の誘導電極のうち、被験者の右手が接触している右手接触電極、及び被験者の左手が接触している左手接触電極を特定する接触状態特定ユニットと、表示ユニットにおける情報の表示方向を、向き取得ユニットの取得結果、及び接触状態特定ユニットの特定結果を用いて決定する表示方向制御ユニットとを備える。
【０００６】
本発明の心電計は、表示ユニットに表示する情報の表示方向を、心電計の向き、被験者の左右の手の接触状態に応じて、適切な表示方向とすることができる。そのため、被験者は、表示ユニットに表示された情報を容易に理解することができる。
【図面の簡単な説明】
【０００７】
【図１】心電計１の電気的な構成を表す斜視図である。
【図２】図２Ａは、心電計１のうち、主として面２３Ａの側の構成を表す斜視図であり、図２Ｂは、心電計１のうち、主として面２３Ｂの側の構成を表す斜視図である。
【図３】心電計１が実行する心電計測処理を表すフローチャートである。
【図４】図４Ａ〜図４Ｆは、それぞれ、心電計１の向きＤ１〜Ｄ６を表す説明図である。
【図５】図５Ａ、図５Ｂは、それぞれ、情報の表示方向の例を表す説明図である。
【図６】心電計１の向き、左右の手の接触状態、及び被験者の姿勢の組み合わせの例を表す説明図である。
【図７】心電計１の向き、左右の手の接触状態、及び被験者の姿勢の組み合わせの例を表す説明図である。
【図８】心電計１の向き、左右の手の接触状態、及び被験者の姿勢の組み合わせの例を表す説明図である。
【図９】心電計１のうち、主として面２３Ｂの側の構成を表す斜視図である。
【発明を実施するための形態】
【０００８】
以下、本発明が適用された実施形態について、図面を用いて説明する。
＜第１の実施形態＞
１．心電計１の構成
心電計１の構成を図１、図２に基づき説明する。心電計１の電気的な構成は、図１に示すように、ＣＰＵ３、ＲＡＭ５、キーボード７、バッテリー９、ＬＣＤモジュール１１、加速度センサ１３、心電センサ１５、正電極１７、中間電極１９、及び負電極２１を含む。
【０００９】
ＣＰＵ３は、キーボード７、加速度センサ１３、及び心電センサ１５等で取得した情報を用いて後述する処理を実行する。ＲＡＭ５は、ＣＰＵ３の処理に必要な情報を一時的に記憶する。キーボード７は、ユーザ（被験者又は他の人）が情報を入力可能な構成である。ユーザがキーボード７を用いて入力可能な情報としては、心電計測の開始指示、心電計測の設定条件、被験者の姿勢等が挙げられる。
【００１０】
ＬＣＤモジュール１１は、画像を表示可能な構成である。ＬＣＤモジュール１１は、後述するように、心電計測に関する種々の情報を表示する。
加速度センサ１３は３軸加速度センサであり、静止座標系（地球を基準とする固定された座標系）における心電計１の向き（特に上下方向）を検出することができる。
【００１１】
心電センサ１５は、周知のＥＣＧセンサであり、正電極１７、負電極２１のうちの一方に被験者の右手が接触し、正電極１７、負電極２１のうちの他方に被験者の左手が接触した状態で、被験者の心電波形を測定する。なお、正電極１７、及び負電極２１は、一対の誘導電極である。
【００１２】
図２Ａ、図２Ｂに示すように、心電計１は、略直方体形状の筐体２３を備えている。キーボード７、及びＬＣＤモジュール１１は、筐体２３における一方の面２３Ａに設けられている。筐体２３の長手方向における一方の端部２５から反対側の端部２７に向う方向を長手方向Ｎとしたとき、キーボード７、及びＬＣＤモジュール１１は、面２３Ａにおいて、長手方向Ｎに沿って並んでおり、キーボード７は端部２５側にあり、ＬＣＤモジュール１１は端部２７側にある。
【００１３】
ＬＣＤモジュール１１は長方形形状を有しており、その長辺は長手方向Ｎに平行であり、短辺は長手方向Ｎに直交している。また、ＬＣＤモジュール１１の表面は、面２３Ａと平行であり、ほぼ面一である。
【００１４】
正電極１７、中間電極１９、及び負電極２１は、主として、筐体２３における面２３Ａとは反対側の面２３Ｂに設けられている。さらに、中間電極１９、及び負電極２１は、筐体２３における側面２３Ｃの一部も占めている。
【００１５】
面２３Ｂにおいて、正電極１７は、端部２５側に位置し、中間電極１９及び負電極２１は端部２７側に位置する。また、面２３Ｂにおいて、中間電極１９及び負電極２１は、長手方向Ｎと直交する方向に沿って並んでいる。ここで、面２３Ｂにおいて、長手方向Ｎと直交する方向であって、負電極２１から中間電極１９に向う方向を短手方向Ｔとする。面２３Ｂにおいて、長手方向Ｎと平行であり、面２３Ｂを２分する中央線２９を想定したとき、中間電極１９及び負電極２１は、中央線２９を間に挟んで対向している。
【００１６】
中間電極１９における正電極１７に対向する側の端部を１９Ａとする。端部１９Ａは、中央線２９に近づくにつれて、正電極１７から遠ざかっている。よって、正電極１７と、中間電極１９との、長手方向Ｎにおける間隔ｄ１は、中央線２９に近い（面２３Ｂの短手方向Ｔにおける中央部に近い）ほど大きく、中央線２９から離れるほど（面２３Ｂの短手方向Ｔにおける周辺部に近いほど）小さい。
【００１７】
負電極２１における正電極１７に対向する側の端部を２１Ａとする。端部２１Ａは、中央線２９に近づくにつれて、正電極１７から遠ざかっている。よって、正電極１７と、負電極２１との、長手方向Ｎにおける間隔ｄ２は、中央線２９に近い（面２３Ｂの短手方向Ｔにおける中央部に近い）ほど大きく、中央線２９から離れるほど（面２３Ｂの短手方向Ｔにおける周辺部に近いほど）小さい。
【００１８】
なお、ＬＣＤモジュール１１は表示ユニットの一例であり、加速度センサ１３は向き取得ユニットの一例であり、心電センサ１５は接触状態特定ユニットの一例であり、ＣＰＵ３は表示方向制御ユニットの一例であり、キーボード７は姿勢入力手段の一例であり、正電極１７は電極Ａの一例であり、負電極２１は電極Ｂの一例である。
【００１９】
２．心電計１が実行する心電計測処理
心電計１（特にＣＰＵ３）が実行する心電計測処理を図３〜図９に基づき説明する。この処理は、キーボード７に心電計測開始指示が入力されたときに実行される。
【００２０】
ステップ１では、心電センサ１５、正電極１７、中間電極１９、及び負電極２１を用いて被験者の心電を計測する。このとき、被験者は、正電極１７、負電極２１のうちの一方に右手を接触させ、正電極１７、負電極２１のうちの他方に左手を接触させる。また、被験者は、負電極２１に接触させる手を、同時に、中間電極１９にも接触させる。
【００２１】
ステップ２では、加速度センサ１３を用いて、心電計１の向きを取得する。ここで、心電計１の向きとは、静止座標系（地球を基準とする固定された座標系）における心電計１の向きである。
【００２２】
そして、取得した心電計１の向きが、以下で示す向きＤ１〜Ｄ６のうちのいずれに最も近いかを判断する。向きＤ１〜Ｄ６のうち、最も近いものを、心電計１の向きとする。
向きＤ１は、図４Ａに示すように、静止座標系において長手方向Ｎが下から上に向う方向となるものである。向きＤ２は、図４Ｂに示すように、静止座標系において長手方向Ｎが上から下に向う方向となるものである。
【００２３】
向きＤ３は、図４Ｃに示すように、静止座標系において短手方向Ｔが下から上に向う方向となるものである。向きＤ４は、図４Ｄに示すように、静止座標系において短手方向Ｔが上から下に向う方向となるものである。
【００２４】
向きＤ５は、図４Ｅに示すように、静止座標系においてＬＣＤモジュール１１が筐体２３の下側となり、長手方向Ｎ、及び短手方向Ｔがいずれも水平であるものである。向きＤ６は、図４Ｆに示すように、静止座標系においてＬＣＤモジュール１１が筐体２３の上側となり、長手方向Ｎ、及び短手方向Ｔがいずれも水平であるものである。
【００２５】
図３に戻り、ステップ３では、被験者の左右の手の接触状態を特定する。具体的には、（１）被験者の左手が正電極１７に接触し、被験者の右手が中間電極１９及び負電極２１に接触している状態（以下、第１の接触状態とする）と、（２）被験者の右手が正電極１７に接触し、被験者の左手が中間電極１９及び負電極２１に接触している状態（以下、第２の接触状態とする）とのうちのいずれであるかを特定する。  
【００２６】
なお、第１の接触状態と、第２の接触状態とでは、心電センサ１５における電圧の正負が逆転するので、そのことを利用して、第１の接触状態と、第２の接触状態とのうちのいずれであるかを特定できる。
【００２７】
正電極１７、負電極２１のうち、被験者の右手が接触している方は右手接触電極であり、被験者の左手が接触している方は左手接触電極である。
ステップ４では、キーボード７により入力された、被験者の姿勢を取得する。被験者の姿勢には、座位、立位、仰臥位、右側臥位、左側臥位、うつぶせ等が含まれる。なお、被験者の姿勢の入力は、心電計測処理ごとに行ってもよいし、一部又は全部の心電計測処理では省略してもよい。
【００２８】
また、実行中の心電計測処理において被験者の姿勢の入力がなされなかった場合は、過去に入力された被験者の姿勢、又はデフォルトの被験者の姿勢（例えば、座位、立位）を呼び出すことができる。
【００２９】
過去に入力された被験者の姿勢を呼び出す場合は、前記ステップ２で取得した心電計１の向き、及び前記ステップ３で特定した被験者の左右の手の接触状態が同一であるときに入力された被験者の姿勢を呼び出す。
【００３０】
ステップ５では、ＬＣＤモジュール１１に表示する情報の表示方向を決定する。なお、ＬＣＤモジュール１１に表示する情報には、例えば、図５Ａ、図５Ｂに示すような、心電計測中の状態を表す表示がある。また、ＬＣＤモジュール１１に表示する情報には、心電計測が始まる前の表示（例えば、計測方法を説明する表示、計測条件の入力画面等）、心電計測が終了した後における心電図、心電計測が中断したことを表すエラー表示等が挙げられる。
【００３１】
ここで、ＬＣＤモジュール１１に表示する情報の表示方向について説明する。ＬＣＤモジュール１１に表示する情報には、その情報固有の上方向、下方向が存在する。この情報固有の上方向、下方向は、例えば、表示中に含まれる文字や数字の向き等から特定できる。例えば、図５Ａ、図５Ｂに示す表示では、いずれも、紙面における上方向が情報固有の上方向である。以下では、図５Ａ、図５Ｂに示すように、その情報固有の下方向から上方向に向う方向を、その情報の方向Ｊとする。
【００３２】
ＬＣＤモジュール１１に表示する情報の表示方向とは、ＬＣＤモジュール１１に固有の方向（長手方向Ｎ、短手方向Ｔ）を基準とした、情報の表示方向であり、長手方向Ｎ、又は短手方向Ｔに対する方向Ｊの関係により規定される。すなわち、ＬＣＤモジュール１１に表示する情報の表示方向には、例えば、長手方向Ｎと方向Ｊとが同一となる表示方向、長手方向Ｎと方向Ｊとが反対となる（１８０°反転した関係にある）表示方向、短手方向Ｔと方向Ｊとが同一となる表示方向、短手方向Ｔと方向Ｊとが反対となる表示方向がある。
【００３３】
図５Ａは、短手方向Ｔと方向Ｊとが同一である表示方向を示す。また、図５Ｂは、長手方向Ｎと方向Ｊとが同一である表示方向を示す。
心電計１は、心電計１の向き、被験者の左右の手の接触状態、及び被験者の姿勢の入力に応じて情報の表示方向を出力するマップを予め備えている。このマップに、前記ステップ２で取得した心電計１の向き、前記ステップ３で特定した、被験者の左右の手の接触状態、及び前記ステップ４で取得した被験者の姿勢を入力することで、情報の表示方向を決定する。上記のマップの一例を表１に示す。
【００３４】
【表１】
2015231427.tif 000003
なお、表１において「情報の表示方向」は、長手方向Ｎ、又は短手方向Ｔに対する方向Ｊの関係により、情報の表示方向を表す。例えば、「方向Ｎと同一」の場合、方向Ｊと長手方向Ｎとが同一方向となるような、情報の表示方向を表す。また、「方向Ｎと反対」の場合、方向Ｊと長手方向Ｎとが１８０°反転した関係となるような、情報の表示方向を表す。
【００３５】
また、表１の「左右の手の接触状態」の列において「第１」は第１の接触状態を意味し、「第２」は第２の接触状態を意味する。
図６に、心電計１の向きがＤ３であり、左右の手の接触状態が第２の接触状態であり、被験者の姿勢が座位又は立位である例を示す。この場合、情報の表示方向は、表１のマップで規定するように、短手方向Ｔと方向Ｊとが同一となる表示方向である。ここで被験者１０１の首から頭頂部へ向う方向を方向Ｈとする。図６に示すように、方向Ｈと方向Ｊとは同一方向である。すなわち、表示された情報の方向Ｊは、座位又は立位にある被験者１０１から見て、上方向となっている。
【００３６】
また、図７に、心電計１の向きがＤ２であり、左右の手の接触状態が第２の接触状態であり、被験者の姿勢が左側臥位である例を示す。この場合、情報の表示方向は、表１のマップで規定するように、短手方向Ｔが方向Ｊと同一となる表示方向である。この例においても、図７に示すように、方向Ｈと方向Ｊとは同一方向である。すなわち、表示された情報の方向Ｊは、左側臥位にある被験者１０１から見て、上方向となっている。
【００３７】
また、図８に、心電計１の向きがＤ５であり、左右の手の接触状態が第１の接触状態であり、被験者の姿勢が仰臥位である例を示す。この場合、情報の表示方向は、表１のマップで規定するように、短手方向Ｔが方向Ｊと反対となる表示方向である。この例においても、図８に示すように、方向Ｈと方向Ｊとは同一方向である。すなわち、表示された情報の方向Ｊは、仰臥位にある被験者１０１から見て、上方向となっている。
【００３８】
図６〜図８に示す例の他にも、上記表１のマップにより設定される表示方向は、一般的に、所定の姿勢にある被験者から見て、表示された情報の方向Ｊが上方向となる（方向Ｈと同一方向となる）表示方向である。
【００３９】
図３に戻り、ステップ６では、前記ステップ５で決定した表示方向により、情報をＬＣＤモジュール１１に表示する。
３．心電計１が奏する効果
以上詳述した第１の実施形態によれば、以下の効果が得られる。
【００４０】
（１Ａ）本実施形態の心電計１は、ＬＣＤモジュール１１に表示する情報の表示方向を、心電計１の向き、被験者の左右の手の接触状態、及び被験者の姿勢に応じて、適切な表示方向とすることができる。そのため、被験者は、ＬＣＤモジュール１１に表示された情報を容易に理解することができる。
【００４１】
（１Ｂ）本実施形態の心電計１によれば、ＬＣＤモジュール１１に表示される情報における上方向（方向Ｊ）を、所定の姿勢にある被験者にとっての上方向（方向Ｈ）と一致させることができる。そのため、被験者は、ＬＣＤモジュール１１に表示された情報を一層容易に理解することができる。
【００４２】
（１Ｃ）本実施形態の心電計１では、上述したとおり、間隔ｄ１及び間隔ｄ２が、中央線２９に近いほど大きい（図２参照）。そのため、正電極１７に接触している被験者の手が、中間電極１９や負電極２１に意図せずに接触してしまうことを抑制できる。
＜第２の実施形態＞
１．心電計１の構成
第２の実施形態は、基本的な構成は第１の実施形態と同様であるため、共通する構成については説明を省略し、相違点を中心に説明する。
【００４３】
中間電極１９における正電極１７に対向する側の端部１９Ａは、短手方向Ｔと平行である。そのため、正電極１７と、中間電極１９との、長手方向Ｎにおける間隔ｄ１は、いずれの場所でも同一である。
【００４４】
また、負電極２１における正電極１７に対向する側の端部２１Ａは、短手方向Ｔと平行である。そのため、正電極１７と、負電極２１との、長手方向Ｎにおける間隔ｄ２は、いずれの場所でも同一である。
【００４５】
２．心電計１が実行する心電計測処理
本実施形態の心電計１は、前記第１の実施形態と同様の心電計測処理を実行する。
３．心電計１が奏する効果
以上詳述した第１の実施形態によれば、前記第１の実施形態の効果（１Ａ）、（１Ｂ）を奏することができる。
＜その他の実施形態＞
以上、本発明の実施形態について説明したが、本発明は上記実施形態に限定されることなく、種々の形態を採り得る。
【００４６】
（１）前記第１、第２の実施形態において、心電計１は、被験者の姿勢の入力が不要であるものであってもよい。この場合、心電計１は、心電計１の向き、及び被験者の左右の手の接触状態に対して予め設定された情報の表示方向を決定することができる。また、この場合、心電計１は、表２に示すように、任意の心電計の向き、及び左右の手の接触状態に対し、情報の表示方向を１種類だけ出力するマップを用いて、情報の表示方向を決定することができる。
【００４７】
【表２】
2015231427.tif 000004
（２）心電計１におけるＬＣＤモジュール１１、正電極１７、中間電極１９、及び負電極２１等の配置は上述したものには限定されず、適宜設定できる。例えば、ＬＣＤモジュール１１と、正電極１７、中間電極１９、及び負電極２１のうちの一部又は全部とは、筐体２３における同一面に配置されていてもよい。
【００４８】
また、正電極１７と負電極２１とは、筐体２３上で、短手方向Ｔに沿って配列されていてもよい。また、正電極１７は端部２７側に位置し、負電極２１が端部２５側に位置していてもよい。
【００４９】
（３）心電計１の向きは、向きＤ１〜Ｄ６に加えて、又はそれらの一部に代えて、他の向きを含んでいてもよい。他の向きとしては、例えば、長手方向Ｎが鉛直線に対しＸ度（０〜９０度の範囲内で適宜設定された値）傾斜した向き、短手方向Ｔが鉛直線に対しＸ度（０〜９０度の範囲内で適宜設定された値）傾斜した向き等が挙げられる。
【００５０】
そして、表１、表２に示すマップは、それらの他の向きについても、左右の手の接触状態と、被験者の姿勢とに応じて、情報の表示方向を決めることができる。
（４）情報の表示方向は、上述したもの以外であってもよい。例えば、情報における方向Ｊが、長手方向Ｎ、又は短手方向Ｔに対し、Ｙ度（０〜９０度の範囲内で適宜設定された値）傾斜した表示方向であってもよい。
【００５１】
（５）上記実施形態における１つの構成要素が有する機能を複数の構成要素として分散させたり、複数の構成要素が有する機能を１つの構成要素に統合させたりしてもよい。また、上記実施形態の構成の少なくとも一部を、同様の機能を有する公知の構成に置き換えてもよい。また、上記実施形態の構成の一部を、課題を解決できる限りにおいて省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【００５２】
（６）前記第１、第２の実施形態において、心電計１は、被験者に対する心電計１の向きを学習し、ＲＡＭ５に記憶することができる。被験者に対する心電計１の向きとは、被験者の体（特に頭部）を基準とした心電計１の向きである。
【００５３】
被験者に対する心電計１の向きは、例えば、“被験者における方向Ｈ（図６〜図８参照）に対し、心電計１の長手方向Ｎが同一方向であり、ＬＣＤモジュール１１が被験者に対向する向き”、“被験者における方向Ｈに対し、心電計１の長手方向Ｎが反対方向（１８０°反転した方向）であり、ＬＣＤモジュール１１が被験者に対向する向き”、“被験者における方向Ｈに対し、心電計１の短手方向Ｔが同一方向であり、ＬＣＤモジュール１１が被験者に対向する向き”、“被験者における方向Ｈに対し、心電計１の短手方向Ｔが反対方向（１８０°反転した方向）であり、ＬＣＤモジュール１１が被験者に対向する向き”のように規定できる。
【００５４】
心電計１は、被験者に対する心電計１の向きを、以下のようにして学習できる。例えば、前記ステップ２のようにして、静止座標系における心電計１の向きを取得し、前記ステップ３のようにして、被験者の左右の手の接触状態を特定する。このとき、被験者の姿勢が、予め設定された標準姿勢（例えば、座位、立位）であると仮定する。すると、被験者に対する心電計１の向きは一義的に決まるので、このときの被験者に対する心電計１の向きを学習し、ＲＡＭ５に記憶する。
【００５５】
この学習を行うタイミングは適宜設定できる。例えば、ユーザが指定したタイミングで行ってもよいし、心電計１を購入した直後に行ってもよいし、電源投入直後に行ってもよいし、所定時間ごとに行ってもよいし、所定回数の計測ごとに行ってもよい。
【００５６】
心電計１は、学習した、被験者に対する心電計１の向きを使用して、ＬＣＤモジュール１１に表示する情報の表示方向を決定することができる。例えば、前記ステップ５において、ＬＣＤモジュール１１に表示する情報の表示方向を決定するとき、前記ステップ２で取得した心電計１の向きと、前記ステップ３で特定した、被験者の左右の手の接触状態と、学習した、被験者に対する心電計１の向きと、の組み合わせに応じて予め設定された情報の表示方向を決定することができる。
【００５７】
この情報の表示方向は、例えば、心電計１の向きが前記ステップ２で取得したものであり、被験者の左右の手の接触状態が前記ステップ３で特定したものであり、被験者に対する心電計１の向きが学習したものである場合に、方向Ｈと方向Ｊとが同一方向となる表示方向とすることができる。
【００５８】
学習した、被験者に対する心電計１の向きは、情報の表示方向を決定するときに常に使用してもよいし、一部の場合に限定して使用してもよい。前記一部の場合としては、例えば、心電計１の向きと、被験者の左右の手の接触状態とを特定しても、被験者の姿勢に複数種類の可能性が存在し、被験者の姿勢がどれであるかにより、方向Ｈと方向Ｊとが同一方向となるような表示方向が異なる場合（例えば、上記表１において、心電計１の向きがＤ１であり、左右の手の接触状態が第１の接触状態であるとき、被験者の姿勢が座位、立位であるか、左側臥位であるかにより、方向Ｈと方向Ｊとが同一方向となるような表示方向が異なる場合）が挙げられる。
【００５９】
（７）上述した心電計１の他、当該心電計１を構成要素とするシステム、当該心電計１としてコンピュータを機能させるためのプログラム、このプログラムを記録した媒体、心電計１を用いた心電の測定方法等、種々の形態で本発明を実現することもできる。
【符号の説明】
【００６０】
１…心電計、３…ＣＰＵ、５…ＲＡＭ、７…キーボード、９…バッテリー、１１…ＬＣＤモジュール、１３…加速度センサ、１５…心電センサ、１７…正電極、１９…中間電極、１９Ａ…端部、２１…負電極、２１Ａ…端部、２３…筐体、２３Ａ、２３Ｂ…面、２５、２７…端部、２９…中央線、１０１…被験者
【図１】
2015231427.tif 000005
【図２】
2015231427.tif 000006
【図３】
2015231427.tif 000007
【図４】
2015231427.tif 000008
【図５】
2015231427.tif 000009
【図６】
2015231427.tif 000010
【図７】
2015231427.tif 000011
【図８】
2015231427.tif 000012
【図９】
2015231427.tif 000013